(57)【要約】【課題】外周一部にゲート部が突出形成された円形プラスチックレンズを、その回転角度位置を自由度高く設定することができ且つ高い嵌合精度で接着保持することができるレンズ保持枠、レンズ接着方法及びレンズ接着構造を得る。【解決手段】外周一部にゲート部が突出形成された円形プラスチックレンズを接着保持し、上記円形プラスチックレンズを嵌める筒状部を有する嵌合凹部と、この嵌合凹部に上記筒状部に連通させて形成された、上記ゲート部を挿入可能なゲート逃げ凹部と、上記嵌合凹部に、上記ゲート逃げ凹部とは異なる上記筒状部の周方向位置に位置させて、上記筒状部に連通させて形成された接着剤貯留凹部と、を備え、この接着剤貯留凹部は、上記ゲート部を挿入可能な形状であること、及び上記ゲート逃げ凹部と接着剤貯留凹部のうちの少なくとも接着剤貯留凹部は、該接着剤貯留凹部にゲート部を挿入した状態において接着剤を滴下可能であるレンズ保持枠。【選択図】図１
2013142808.tif 000002
【特許請求の範囲】
【請求項１】
外周一部にゲート部が突出形成された円形プラスチックレンズを接着保持するレンズ保持枠であって、
上記円形プラスチックレンズを嵌める筒状部を有する嵌合凹部と、
この嵌合凹部に上記筒状部に連通させて形成された、上記ゲート部を挿入可能なゲート逃げ凹部と、
上記嵌合凹部に、上記ゲート逃げ凹部とは異なる上記筒状部の周方向位置に位置させて、上記筒状部に連通させて形成された接着剤貯留凹部と、を備え、
この接着剤貯留凹部は、上記ゲート部を挿入可能な形状であること、及び
上記ゲート逃げ凹部と接着剤貯留凹部のうちの少なくとも接着剤貯留凹部は、該接着剤貯留凹部にゲート部を挿入した状態において接着剤を滴下可能であることを特徴とするレンズ保持枠。
【請求項２】
請求項１記載のレンズ保持枠において、
上記接着剤貯留凹部は、上記ゲート部が挿入されたときには該ゲート部が位置しゲート部が挿入されないときには接着剤を貯留可能な第１の部分と、上記第１の部分に上記ゲート部が挿入されているときに接着剤を貯留可能な第２の部分とからなるレンズ保持枠。
【請求項３】
請求項２記載のレンズ保持枠において、
上記第１の部分は、正面視したときに上記ゲート部の形状に対応する形状を有しており、上記第２の部分は、正面視したときに上記接着剤貯留凹部の断面積を上記第１の部分から広げる方向に向かって傾斜する傾斜面からなるレンズ保持枠。
【請求項４】
請求項１ないし３のいずれか１項記載のレンズ保持枠において、
上記ゲート逃げ凹部は、上記筒状部の所定の周方向位置に位置させて１つ形成されており、上記接着剤貯留凹部は、この１つのゲート逃げ凹部と９０°だけ周方向位置をずらして１８０°間隔で２つ形成されているレンズ保持枠。
【請求項５】
請求項１ないし４のいずれか１項記載のレンズ保持枠において、
上記ゲート逃げ凹部は、該ゲート逃げ凹部にゲート部を挿入した状態において接着剤を滴下可能であるレンズ保持枠。
【請求項６】
請求項１ないし５のいずれか１項記載のレンズ保持枠に上記円形プラスチックレンズを接着保持するレンズ接着方法において、
上記ゲート逃げ凹部と接着剤貯留凹部のうち、円形プラスチックレンズの上記ゲート部を挿入する凹部を選択するステップと、
選択した上記凹部に円形プラスチックレンズの上記ゲート部を挿入するステップと、
上記凹部にゲート部を挿入した状態において、上記接着剤貯留凹部に接着剤を滴下するステップと、を有することを特徴とするレンズ接着方法。
【請求項７】
外周一部にゲート部が突出形成された円形プラスチックレンズと、この円形プラスチックレンズを接着保持するレンズ保持枠とを有するレンズ接着構造であって、
上記レンズ保持枠に、上記円形プラスチックレンズを嵌める筒状部を有する嵌合凹部と、この嵌合凹部に上記筒状部に連通させて形成された、上記ゲート部を挿入可能なゲート逃げ凹部と、上記嵌合凹部に、上記ゲート逃げ凹部とは異なる上記筒状部の周方向位置に位置させて、上記筒状部に連通させて形成された接着剤貯留凹部とを形成し、
上記接着剤貯留凹部を、上記ゲート部を挿入可能な形状とし、上記ゲート逃げ凹部と接着剤貯留凹部のうちの少なくとも接着剤貯留凹部を、該接着剤貯留凹部にゲート部を挿入した状態において接着剤を滴下可能とし、
上記ゲート逃げ凹部と接着剤貯留凹部のうちのいずれかの凹部に円形プラスチックレンズの上記ゲート部を挿入した状態において、上記接着剤貯留凹部に接着剤を滴下することで、上記レンズ保持枠に上記円形プラスチックレンズを接着保持したことを特徴とするレンズ接着構造。
【発明の詳細な説明】
【技術分野】
【０００１】
本発明は、レンズ保持枠、レンズ接着方法及びレンズ接着構造に関する。
【背景技術】
【０００２】
外周一部にゲート部が突出形成された円形プラスチックレンズを接着保持するレンズ保持枠、レンズ接着方法及びレンズ接着構造が知られている。例えば特許文献１には、円形プラスチックレンズを嵌めるレンズ保持枠の嵌合凹部に、周方向に１２０°間隔で配置された３つのゲート逃げ凹部と、この３つのゲート逃げ凹部と６０°だけ周方向位置をずらして１２０°間隔で配置された３つの接着剤貯留凹部とを形成し、３つのゲート逃げ凹部のいずれかにゲート部を挿入し、３つの接着剤貯留凹部の少なくとも１つに接着剤を滴下して、レンズ保持枠に円形プラスチックレンズを接着保持することが開示されている。
【先行技術文献】
【特許文献】
【０００３】
【特許文献１】特開２００８−１７５９６５号公報
【発明の概要】
【発明が解決しようとする課題】
【０００４】
レンズ保持枠の嵌合凹部に形成するゲート逃げ凹部の数を増やせば、いずれのゲート逃げ凹部にゲート部を挿入するかを選択することで、円形プラスチックレンズの回転角度位置の設定の自由度は上がる。しかし、レンズ保持枠と円形プラスチックレンズとの嵌合周方向長が無駄に減少して嵌合精度が悪くなるという問題がある。
【０００５】
本発明は、上記問題意識に基づいて完成されたものであり、外周一部にゲート部が突出形成された円形プラスチックレンズを、その回転角度位置を自由度高く設定可能とし且つ高い嵌合精度で接着保持することができるレンズ保持枠、レンズ接着方法及びレンズ接着構造を得ることを目的とする。
【課題を解決するための手段】
【０００６】
本発明のレンズ支持枠は、外周一部にゲート部が突出形成された円形プラスチックレンズを接着保持するレンズ保持枠であって、上記円形プラスチックレンズを嵌める筒状部を有する嵌合凹部と、この嵌合凹部に上記筒状部に連通させて形成された、上記ゲート部を挿入可能なゲート逃げ凹部と、上記嵌合凹部に、上記ゲート逃げ凹部とは異なる上記筒状部の周方向位置に位置させて、上記筒状部に連通させて形成された接着剤貯留凹部と、を備え、この接着剤貯留凹部は、上記ゲート部を挿入可能な形状であること、及び上記ゲート逃げ凹部と接着剤貯留凹部のうちの少なくとも接着剤貯留凹部は、該接着剤貯留凹部にゲート部を挿入した状態において接着剤を滴下可能であることを特徴としている。
【０００７】
上記接着剤貯留凹部は、上記ゲート部が挿入されたときには該ゲート部が位置しゲート部が挿入されないときには接着剤を貯留可能な第１の部分と、上記第１の部分に上記ゲート部が挿入されているときに接着剤を貯留可能な第２の部分とから構成することができる。
【０００８】
より具体的に、上記第１の部分は、正面視したときに上記ゲート部の形状に対応する形状を有しており、上記第２の部分は、正面視したときに上記接着剤貯留凹部の断面積を上記第１の部分から広げる方向に向かって傾斜する傾斜面から構成することができる。
【０００９】
上記ゲート逃げ凹部を、上記筒状部の所定の周方向位置に位置させて１つ形成し、上記接着剤貯留凹部を、この１つのゲート逃げ凹部と９０°だけ周方向位置をずらして１８０°間隔で２つ形成することができる。
【００１０】
上記ゲート逃げ凹部は、該ゲート逃げ凹部にゲート部を挿入した状態において接着剤を滴下可能としてもよい。
【００１１】
本発明のレンズ接着方法は、上述したいずれかのレンズ保持枠に上記円形プラスチックレンズを接着保持するレンズ接着方法において、上記ゲート逃げ凹部と接着剤貯留凹部のうち、円形プラスチックレンズの上記ゲート部を挿入する凹部を選択するステップと、選択した上記凹部に円形プラスチックレンズの上記ゲート部を挿入するステップと、上記凹部にゲート部を挿入した状態において、上記接着剤貯留凹部に接着剤を滴下するステップと、を有することを特徴としている。
【００１２】
本発明のレンズ接着構造は、外周一部にゲート部が突出形成された円形プラスチックレンズと、この円形プラスチックレンズを接着保持するレンズ保持枠とを有するレンズ接着構造であって、上記レンズ保持枠に、上記円形プラスチックレンズを嵌める筒状部を有する嵌合凹部と、この嵌合凹部に上記筒状部に連通させて形成された、上記ゲート部を挿入可能なゲート逃げ凹部と、上記嵌合凹部に、上記ゲート逃げ凹部とは異なる上記筒状部の周方向位置に位置させて、上記筒状部に連通させて形成された接着剤貯留凹部とを形成し、上記接着剤貯留凹部を、上記ゲート部を挿入可能な形状とし、上記ゲート逃げ凹部と接着剤貯留凹部のうちの少なくとも接着剤貯留凹部を、該接着剤貯留凹部にゲート部を挿入した状態において接着剤を滴下可能とし、上記ゲート逃げ凹部と接着剤貯留凹部のうちのいずれかの凹部に円形プラスチックレンズの上記ゲート部を挿入した状態において、上記接着剤貯留凹部に接着剤を滴下することで、上記レンズ保持枠に上記円形プラスチックレンズを接着保持したことを特徴としている。
【発明の効果】
【００１３】
本発明のレンズ保持枠、レンズ接着方法及びレンズ接着構造によれば、レンズ保持枠の嵌合凹部に形成した接着剤貯留凹部を円形プラスチックレンズのゲート部を挿入可能な形状として、この接着剤貯留凹部にゲート部を挿入した状態において接着剤を滴下可能にしている。このため、円形プラスチックレンズのゲート部をゲート逃げ凹部と接着剤貯留凹部のいずれに挿入するかを選択することで、円形プラスチックレンズの回転角度位置を自由度高く設定することができる。また、レンズ保持枠と円形プラスチックレンズとの嵌合周方向長を無駄に減少させることなく、レンズ保持枠に円形プラスチックレンズを高い嵌合精度で接着保持することができる。
【図面の簡単な説明】
【００１４】
【図１】本発明によるレンズ保持枠の前方斜視図である。
【図２】本発明によるレンズ保持枠の後方斜視図である。
【図３】外周一部にゲート部が突出形成された円形プラスチックレンズの前方斜視図である。
【図４】ゲート逃げ凹部にゲート部を挿入して円形プラスチックレンズを接着保持した状態のレンズ保持枠を示す平面図である。
【図５】図４の状態における図１のＹＺ平面に沿う断面図である。
【図６】図４の状態における図１のＸＺ平面に沿う断面図である。
【図７】接着剤貯留凹部にゲート部を挿入して円形プラスチックレンズを接着保持した状態のレンズ保持枠を示す平面図である。
【図８】図７の状態における図１のＹＺ平面に沿う断面図である。
【図９】図７の状態における図１のＸＺ平面に沿う断面図である。
【発明を実施するための形態】
【００１５】
図１ないし図９を参照して、本発明によるレンズ保持枠、レンズ接着方法及びレンズ接着構造について説明する。レンズ保持枠１０は、外周一部にゲート部２１が突出形成された円形プラスチックレンズ２０を接着保持するものであり、円形プラスチックレンズ２０を嵌める円形筒状部（筒状部）１１を有する嵌合凹部１２を備えている。
【００１６】
嵌合凹部１２の周方向の一部には、円形筒状部１１に連通させて、円形プラスチックレンズ２０のゲート部２１を挿入可能な１つのゲート逃げ凹部１３が形成されている。このゲート逃げ凹部１３は、正面視したとき（円形筒状部１１を軸方向から見たとき）にゲート部２１の形状に対応する形状を有している。図４、図５に示すように、ゲート逃げ凹部１３の周方向長さ１３Ｘ、径方向長さ１３Ｙ及び軸方向厚さ１３Ｚは、ゲート部２１の周方向長さ２１Ｘ、径方向長さ２１Ｙ及び軸方向厚さ２１Ｚに対応させて設定されている。ゲート逃げ凹部１３に円形プラスチックレンズ２０のゲート部２１を挿入した状態では、ゲート逃げ凹部１３に接着剤Ｓを貯留するスペースは形成されない。
【００１７】
嵌合凹部１２には、円形筒状部１１に連通させて、ゲート逃げ凹部１３と９０°だけ周方向位置をずらして１８０°間隔で配置された２つの接着剤貯留凹部１４が形成されている。この２つの接着剤貯留凹部１４の形状は同一である。
【００１８】
接着剤貯留凹部１４は、円形プラスチックレンズ２０のゲート部２１を挿入可能であり、かつゲート部２１を挿入した状態において接着剤Ｓを滴下可能な構成となっている。より具体的に接着剤貯留凹部１４は、互いに連続する第１の部分１４ａと第２の部分１４ｂとからなる。
【００１９】
第１の部分１４ａは、円形プラスチックレンズ２０のゲート部２１を挿入可能であり、正面視したときにゲート部２１の形状に対応する形状を有している。図７に示すように、第１の部分１４ａの周方向長さ１４ａＸと径方向長さ１４ａＹは、ゲート部２１の周方向長さ２１Ｘと径方向長さ２１Ｙに対応させて設定されており、図９に示すように、第１の部分１４ａの軸方向厚さ１４ａＺは、ゲート部２１の軸方向厚さ２１Ｚの半分程度に設定されている。第１の部分１４ａは、自身にゲート部２１が挿入されたときにはゲート部２１が位置し、自身にゲート部２１が挿入されないときには接着剤Ｓを貯留可能となっている。
【００２０】
第２の部分１４ｂは、正面視したときに接着剤貯留凹部１４の断面積を第１の部分１４ａから広げる方向に傾斜する傾斜面（口元広がり部）からなる。図９に示すように、第２の部分１４ｂの軸方向厚さ１４ｂＺは、ゲート部２１の軸方向厚さ２１Ｚの半分程度に設定されており、第１の部分１４ａの軸方向厚さ１４ａＺと第２の部分１４ｂの軸方向厚さ１４ｂＺとを合わせた厚さは、ゲート部２１の軸方向厚さ２１Ｚと対応するようになっている。第２の部分１４ｂは、第１の部分１４ａにゲート部２１が挿入されているときに接着剤Ｓを貯留可能となっている。
【００２１】
以上のように構成されたレンズ保持枠１０に円形プラスチックレンズ２０を接着保持するときには、まず、１つのゲート逃げ凹部１３と２つの接着剤貯留凹部１４のうち、円形プラスチックレンズ２０のゲート部２１を挿入する凹部を選択する。このとき例えば、円形プラスチックレンズ２０の出来具合によって、円形プラスチックレンズ２０がどのような回転角度位置にあるときに最も良いレンズ性能が出るかを確認しながら、ゲート部２１を挿入するのに最適な凹部を選択することができる。これに対し、従来品は接着剤貯留凹部１４にゲート部２１を挿入不能（ゲート逃げ凹部１３のみにゲート部２１を挿入可能）であり、ゲート逃げ凹部１３の位置によって一義的に円形プラスチックレンズ２０の回転角度位置が決まってしまうため、所望のレンズ性能が得られないことがある。
【００２２】
ゲート部２１を挿入する凹部を選択したら、その選択した凹部に円形プラスチックレンズ２０のゲート部２１を挿入する。最後に、選択した凹部に円形プラスチックレンズ２０のゲート部２１を挿入した状態で、２つの接着剤貯留凹部１４に接着剤Ｓを滴下することで、レンズ保持枠１０に円形プラスチックレンズ２０を接着保持する。
【００２３】
図４ないし図６はゲート逃げ凹部１３にゲート部２１を挿入して円形プラスチックレンズ２０を接着保持した場合を示している。この例では、２つの接着剤貯留凹部１４の第１の部分１４ａのいずれにもゲート部２１が挿入されていないので、２つの接着剤貯留凹部１４の第１の部分１４ａに接着剤Ｓを滴下している（図６）。
【００２４】
図７ないし図９は接着剤貯留凹部１４にゲート部２１を挿入して円形プラスチックレンズ２０を接着保持した場合を示している。この例では、一方の接着剤貯留凹部１４の第１の部分１４ａにゲート部２１が挿入されているので、この一方の接着剤貯留凹部１４の第２の部分１４ｂに接着剤Ｓを滴下するとともに、ゲート部２１が挿入されていない他方の接着剤貯留凹部１４の第１の部分１４ａに接着剤Ｓを滴下している（図９）。
【００２５】
以上のように、本実施形態のレンズ保持枠、レンズ接着方法及びレンズ接着構造によれば、レンズ保持枠１０の嵌合凹部１２に形成した接着剤貯留凹部１４を円形プラスチックレンズ２０のゲート部２１を挿入可能な形状として、この接着剤貯留凹部１４にゲート部２１を挿入した状態において接着剤Ｓを滴下可能にしている。これにより、円形プラスチックレンズ２０のゲート部２１をゲート逃げ凹部１３と接着剤貯留凹部１４のいずれに挿入するかを選択することで、円形プラスチックレンズ２０の回転角度位置を自由度高く設定することができる。また、レンズ保持枠１０と円形プラスチックレンズ２０との嵌合周方向長を無駄に減少させることなく、レンズ保持枠１０に円形プラスチックレンズ２０を高い嵌合精度で接着保持することができる。例えば、上述した特許文献１では、３つのゲート逃げ凹部と３つの接着剤貯留凹部の合計６つの凹部を設けているため、レンズ保持枠と円形プラスチックレンズの嵌合周方向長が無駄に減少して嵌合精度が悪くなっているのに対し、本実施形態では、１つのゲート逃げ凹部１３と２つの接着剤貯留凹部１４の合計３つの凹部を設けて凹部の数を半減させることで、レンズ保持枠１０と円形プラスチックレンズ２０の嵌合周方向長を十分に確保して、レンズ保持枠１０に円形プラスチックレンズ２０を高い嵌合精度で接着保持することに成功している。
【００２６】
以上の実施形態では、１つのゲート逃げ凹部１３と２つの接着剤貯留凹部１４を設けた場合を例示して説明したが、ゲート逃げ凹部１３を接着剤貯留凹部１４に置き換えて３つの接着剤貯留凹部１４を設ける態様も可能である。この態様では、３つの接着剤貯留凹部１４が円形筒状部１１の周方向位置に９０°間隔で３つ配置されることになる。またこの態様では、レンズ保持枠１０に円形プラスチックレンズ２０を安定して接着保持するために、３つの接着剤貯留凹部１４のうちの少なくとも２つに接着剤Ｓを滴下することが好ましい。
【００２７】
以上の実施形態では、１つのゲート逃げ凹部１３と２つの接着剤貯留凹部１４を設けた場合を例示して説明したが、ゲート逃げ凹部と接着剤貯留凹部の数はこれに限定されるものではない。例えば、レンズ保持枠１０と円形プラスチックレンズ２０の嵌合周方向長が無駄に減少しない範囲内において、ゲート逃げ凹部の数を２つ以上として、接着剤貯留凹部の数を３つ以上としてもよい。
【符号の説明】
【００２８】
１０  レンズ保持枠
１１  円形筒状部（筒状部）
１２  嵌合凹部
１３  ゲート逃げ凹部
１３Ｘ  周方向長さ
１３Ｙ  径方向長さ
１３Ｚ  軸方向厚さ
１４  接着剤貯留凹部
１４ａ  第１の部分
１４ａＸ  周方向長さ
１４ａＹ  径方向長さ
１４ａＺ  軸方向厚さ
１４ｂ  第２の部分（傾斜面、口元広がり部）
１４ｂＺ  軸方向厚さ
２０  円形プラスチックレンズ
２１  ゲート部
２１Ｘ  周方向長さ
２１Ｙ  径方向長さ
２１Ｚ  軸方向厚さ
Ｓ  接着剤
【図１】
2013142808.tif 000003
【図２】
2013142808.tif 000004
【図３】
2013142808.tif 000005
【図４】
2013142808.tif 000006
【図５】
2013142808.tif 000007
【図６】
2013142808.tif 000008
【図７】
2013142808.tif 000009
【図８】
2013142808.tif 000010
【図９】
2013142808.tif 000011